(57)【要約】【課題】  釘を取り扱う作業者等が怪我をするのを防ぐことができる安全性が高い弾球遊技機用釘を提供すること。【解決手段】  頭部と軸部とを備え、前記軸部が弾球遊技機の遊技盤に挿入されて遊技球の流路を形成する弾球遊技機用釘であって、前記軸部は先端に向けて漸次先細りするテーパ部と、外周面に螺旋を有する螺旋部とを有し、前記テーパ部の先端が丸みを帯びていることを特徴とする弾球遊技機用釘とする。【選択図】  図１
2006102395.tif 000002
【特許請求の範囲】
【請求項１】
頭部と軸部とを備え、前記軸部が弾球遊技機の遊技盤に挿入されて遊技球の流路を形成する弾球遊技機用釘であって、前記軸部は先端に向けて漸次先細りするテーパ部と、外周面に螺旋を有する螺旋部とを有し、前記テーパ部の先端が丸みを帯びていることを特徴とする弾球遊技機用釘。
【請求項２】
頭部と軸部とを備え、前記軸部が弾球遊技機の遊技盤に挿入されて遊技球の流路を形成する弾球遊技機用釘であって、前記軸部は先端に向けて漸次先細りするテーパ部と、外周面に螺旋を有する螺旋部とを有し、前記テーパ部が円錐台形状を有してなることを特徴とする弾球遊技機用釘。
【請求項３】
前記螺旋部に形成された螺旋の山頂幅が先端から基端にかけて変化してなることを特徴とする請求項１又は２記載の弾球遊技機用釘。
【請求項４】
前記螺旋の山頂幅が、先端において狭く、基端において広くなっていることを特徴とする請求項３記載の弾球遊技機用釘。
【請求項５】
前記螺旋部に、長さ方向の溝が形成されてなることを特徴とする請求項１乃至４いずれかに記載の弾球遊技機用釘。
【請求項６】
前記テーパ部に、前記螺旋部の最大径と同径又は僅かに径大とされた膨出部が形成されてなることを特徴とする請求項１乃至５いずれかに記載の弾球遊技機用釘。
【請求項７】
前記軸部は、頭部と螺旋部との間に螺旋が無い円柱状のストレート部を有し、該ストレート部は該螺旋部の近傍位置において、外周面に沿って形成された環状溝を有してなることを特徴とする請求項１乃至６いずれかに記載の弾球遊技機用釘。
【請求項８】
前記軸部は、頭部と螺旋部との間に螺旋が無い円柱状のストレート部を有し、該ストレート部は該螺旋部の近傍位置において、該螺旋部の最大径と同径又は僅かに径大とされた膨出部を有してなることを特徴とする請求項１乃至７いずれかに記載の弾球遊技機用釘。
【請求項９】
前記テーパ部と螺旋部との間に螺旋が無い円柱状のストレート部が形成されてなることを特徴とする請求項１乃至８いずれかに記載の弾球遊技機用釘。
【発明の詳細な説明】
【技術分野】
【０００１】
本発明は、パチンコ機等の弾球遊技機において遊技盤に打ち込まれて遊技球の流路を形成するための弾球遊技機用釘に関し、より詳しくは、釘を取り扱う作業者等が怪我をするのを防ぐことができて安全性が高い弾球遊技機用釘に関するものである。
【背景技術】
【０００２】
パチンコ機等の弾球遊技機においては、遊技盤に打ち込まれた多数本の釘によって遊技球の流路が形成されており、このような弾球遊技機用釘に関する従来技術としては、例えば下記特許文献１に開示の技術が存在している。
【０００３】
下記特許文献１の開示技術は、遊技盤に対して打ち込まれる打ち込み挿入部に、稜部の高さが異なる複数種類の螺旋体を混在させてなる多重螺旋部を設けた遊技釘に関するものであり、この開示技術によれば、稜部の高さが異なる複数種類の螺旋体を混在させてなる多重螺旋部の存在によって、遊技盤に対する固定強度を高めることができる。
【０００４】
【特許文献１】特開２０００−８４１６２号公報
【０００５】
弾球遊技機用釘に関する従来技術は、もっぱら上記したような遊戯盤への固定強度の向上を目的としたものであり、釘を取り扱う作業者等に対する安全対策について考慮されたものは殆ど皆無であった。
すなわち、従来の弾球遊技機用釘は、その先端が鋭く尖っているものであるため、釘を取り扱う作業者が尖った先端部によって怪我をするおそれがあった。
【発明の開示】
【発明が解決しようとする課題】
【０００６】
本発明は上記した従来技術の問題点を解決すべくなされたものであって、釘を取り扱う作業者等が怪我をするのを防ぐことができて安全性が高い弾球遊技機用釘を提供せんとするものである。
【課題を解決するための手段】
【０００７】
請求項１に係る発明は、頭部と軸部とを備え、前記軸部が弾球遊技機の遊技盤に挿入されて遊技球の流路を形成する弾球遊技機用釘であって、前記軸部は先端に向けて漸次先細りするテーパ部と、外周面に螺旋を有する螺旋部とを有し、前記テーパ部の先端が丸みを帯びていることを特徴とする弾球遊技機用釘に関する。
請求項２に係る発明は、頭部と軸部とを備え、前記軸部が弾球遊技機の遊技盤に挿入されて遊技球の流路を形成する弾球遊技機用釘であって、前記軸部は先端に向けて漸次先細りするテーパ部と、外周面に螺旋を有する螺旋部とを有し、前記テーパ部が円錐台形状を有してなることを特徴とする弾球遊技機用釘に関する。
請求項３に係る発明は、前記螺旋部に形成された螺旋の山頂幅が先端から基端にかけて変化してなることを特徴とする請求項１又は２記載の弾球遊技機用釘に関する。
【０００８】
請求項４に係る発明は、前記螺旋の山頂幅が、先端において狭く、基端において広くなっていることを特徴とする請求項３記載の弾球遊技機用釘に関する。
請求項５に係る発明は、前記螺旋部に、長さ方向の溝が形成されてなることを特徴とする請求項１乃至４いずれかに記載の弾球遊技機用釘に関する。
請求項６に係る発明は、前記テーパ部に、前記螺旋部の最大径と同径又は僅かに径大とされた膨出部が形成されてなることを特徴とする請求項１乃至５いずれかに記載の弾球遊技機用釘に関する。
【０００９】
請求項７に係る発明は、前記軸部は、頭部と螺旋部との間に螺旋が無い円柱状のストレート部を有し、該ストレート部は該螺旋部の近傍位置において、外周面に沿って形成された環状溝を有してなることを特徴とする請求項１乃至６いずれかに記載の弾球遊技機用釘に関する。
請求項８に係る発明は、前記軸部は、頭部と螺旋部との間に螺旋が無い円柱状のストレート部を有し、該ストレート部は該螺旋部の近傍位置において、該螺旋部の最大径と同径又は僅かに径大とされた膨出部を有してなることを特徴とする請求項１乃至７いずれかに記載の弾球遊技機用釘に関する。
請求項９に係る発明は、前記テーパ部と螺旋部との間に螺旋が無い円柱状のストレート部が形成されてなることを特徴とする請求項１乃至８いずれかに記載の弾球遊技機用釘に関する。
【発明の効果】
【００１０】
請求項１及び２に係る発明によれば、テーパにより遊技盤下穴への打ち込み時におけるガイド機能を有しつつ、先端の尖りによって作業者等が傷付くのを防ぐことができる安全性の高い釘となる。
請求項３に係る発明によれば、螺旋部に形成された螺旋の山頂幅が先端から基端にかけて変化しているため、遊技盤に対する固定強度が高く、遊技盤からの抜けや回転を確実に防止し得る。また、螺旋山の高さを変化させる方法ではなく山頂幅を変化させる方法を採用したことにより、打ち込み時に受ける抵抗が小さく、下穴に沿って垂直に且つスムーズに打ち込むことが可能である。
【００１１】
請求項４に係る発明によれば、山頂幅が先端において狭くなっているため、下穴に対する打ち込みがスムーズとなり、打ち込み時に遊技盤を形成する樹脂の割れや白濁を確実に防ぐことができる。
請求項５に係る発明によれば、打ち込み時に生じる長さ方向に設けられた溝の変形によって、遊技盤からの引き抜き抵抗を増大させることができる。
請求項６に係る発明によれば、膨出部により遊技盤からの引き抜き抵抗を増大させることができるとともに、打ち込み時に発生した打ち込みカスを内部に貯留することができ、打ち込みカスが外部に排出されるのを防ぐことができる。
【００１２】
請求項７に係る発明によれば、遊技盤への打ち込み後に釘を曲げ易くなるので、釘調整を容易に行うことができる。
請求項８に係る発明によれば、膨出部により遊技盤からの引き抜き抵抗を増大させることができるとともに、打ち込み時に発生した打ち込みカスを内部に貯留することができ、打ち込みカスが外部に排出されるのを防ぐことができる。
請求項９に係る発明によれば、ストレート部により釘が下穴に沿って案内されるので、遊技盤に形成された下穴に沿って垂直に且つスムーズに打ち込むことが可能となる。
【発明を実施するための最良の形態】
【００１３】
以下、本発明に係る弾球遊技機用釘の好適な実施形態について、図面を参照しつつ説明する。
図１は本発明に係る弾球遊技機用釘の一例を示す側面図である。
本発明に係る弾球遊技機用釘（１）は、図２に示す如く、パチンコ機等の弾球遊技機の合成樹脂等からなる遊技盤（Ａ）に形成された下穴（Ｂ）に打ち込まれて遊技球の流路を形成するものであって、打ち込み力が加えられる頭部（２）と、該頭部（２）に加えられた打ち込み力によって遊技盤の下穴に挿入される軸部（３）とを備えている。
【００１４】
軸部（３）は、先端に向けて漸次先細りするテーパ部（４）と、円柱体の外周面に螺旋を有する螺旋部（５）と、外周面に螺旋を有さない円柱状のストレート部（６）を備えている。ストレート部（６）は、頭部（２）と螺旋部（５）との間に形成された第１ストレート部（６１）と、テーパ部（４）と螺旋部（５）との間に形成された第２ストレート部（６２）からなる。
上記した各部分は、釘の先端部から基端部（頭部（２）との境界部）に向けて、テーパ部（４）、第２ストレート部（６２）、螺旋部（５）、第１ストレート部（６１）の順に形成されている。
【００１５】
テーパ部（４）は、下穴への釘の垂直な挿入をガイドする機能を果たす部分である。
本発明の最大の特徴は、テーパ部（４）の先端の尖った部分を無くしたことにあり、図１示の例では先端に丸みを帯びさせる（アールを形成する）構成が採用されている。
また、本発明においては、テーパ部（４）の先端の尖った部分を無くすために、図３示の如く先端を軸直角方向にカットして平面状とした円錐台形状とする構成を採用することもできる。
これらのように、テーパ部（４）の先端の尖った部分を無くすことによって、釘を取り扱う作業者等が尖った先端によって傷付くのを防ぐことができて安全であり、しかも尖った部分が無くなってもテーパの存在によって上記したガイド機能は充分に果たされる。
【００１６】
本発明に係る弾球遊技機用釘（１）においては、図示の如く、テーパ部（４）と螺旋部（５）との間に螺旋が無い円柱状の第２ストレート部（６２）を形成することができる。但し、このような第２ストレート部（６２）を有さないものも本発明に含まれる。
第２ストレート部（６２）の径はテーパ部（４）の基端径と同じとされており、このように形成された第２ストレート部（６）は、下穴に沿って挿入された釘を垂直に案内するガイド機能を発揮するので、釘を確実に下穴に沿って垂直に且つスムーズに打ち込むことが可能となる。
【００１７】
本発明に係る弾球遊技機用釘（１）において、螺旋部（５）に形成された螺旋の山頂幅を先端から基端にかけて変化させることが好ましい。但し、螺旋部（５）に形成された螺旋の山頂幅が先端から基端にかけて変化しないものも本発明に含まれる。
尚、螺旋の山頂幅を変化させる場合であっても、螺旋の高さ（外径）については変化させずに螺旋部（５）の全長に亘って同一高さとされる。
【００１８】
図４は、本発明における螺旋部（５）の一例を示す部分拡大断面図であり、連続する多数の螺旋山のうち、先端部、中間部、基端部の１山ずつを抽出して示している。
図４示の例は、螺旋部（５）に形成された螺旋の山頂幅を、先端において狭く、基端において広くなるようにしたもの、言い換えれば、螺旋の山頂幅を先端から基端に向けて徐々に広くなるように変化させたものである。すなわち、図４においては、先端部における山頂幅（ａ）と、中間部における山頂幅（ｂ）と、基端部における山頂幅（ｃ）とは、ａ＜ｂ＜ｃの関係を満たすようになっている。
【００１９】
本発明に係る弾球遊技機用釘（１）において、図４に示したように、螺旋部（５）に形成された螺旋の山頂幅を先端から基端にかけて変化させた場合には遊技盤に対する固定強度が高くなり、遊技盤からの抜けや回転を確実に防止し得る。また、螺旋山の高さではなく山頂幅を変化させていることにより、打ち込み時に受ける抵抗が小さく、下穴に沿って垂直に且つスムーズに打ち込むことが可能となる。
また、螺旋部（５）の先端側において山頂幅の狭い部分が設けられることで、下穴への挿入を容易に行うことができる。
さらに、山頂幅が広い部分では面圧が小さくなり、その結果、衝撃に強くなって弛みやがたつきが生じ難くなる。
【００２０】
尚、本発明においては、螺旋部（５）に設けられる螺旋の形状は必ずしも限定されるものではなく、丸螺旋、台形螺旋、三角螺旋等を採用することができる。
【００２１】
図５は、本発明に係る弾球遊技機用釘（１）の変更例を示す図であって、螺旋部（５）の全長に亘って長さ方向の溝（７）が形成されている。
溝（７）は、少なくとも１つ設ければよいが、２つ以上設けることも可能である。また、溝（７）の断面形状については、Ｖ字形、Ｕ字形、凹形、半円形などの任意の形状とすることができる。
このように、螺旋部（５）に長さ方向の溝（７）を形成することによって、遊技盤からの引き抜き抵抗を増大させることができる。
【００２２】
図６は、本発明に係る弾球遊技機用釘（１）の別の変更例を示す図であって、テーパ部（４）の基端側に螺旋部（５）の最大径よりも僅かに径大とされた膨出部（８）が形成されている。尚、この膨出部（８）は上記した全ての形態のテーパ部（４）において形成することができる。
膨出部（８）は、テーパ部（４）の基端部の径を、螺旋部（５）の最大径（山径）よりも大きくすることにより形成されている。また、膨出部（８）の径は第２ストレート部（６２）の径よりも大きくなる。
尚、膨出部（８）は、螺旋部（５）の最大径と同径とすることも可能である。
このように形成された膨出部（８）は、遊技盤からの引き抜き抵抗を増大させるとともに、打ち込み時に発生した打ち込みカスの外部への排出が膨出部（８）によって妨げられ、打ち込みカスが外部に排出されるのを防ぐことができる。
【００２３】
図７は、本発明に係る弾球遊技機用釘（１）の更に別の変更例を示す図であって、軸部（３）の外周面に沿って環状溝（９）が形成されている。
環状溝（９）は、図示例では第１ストレート部（６１）の先端部（螺旋部（５）寄りの部分）に形成されている。
環状溝（９）の数は１つでよいが、場合によっては所定間隔で２つ以上設けることも可能である。また、環状溝（９）の断面形状については、Ｖ字形、Ｕ字形、凹形、半円形などの任意の形状とすることができる。
このように設けられた環状溝（９）は、遊技盤へと打ち込まれた後に釘を曲げ易くする機能を発揮する。すなわち、径が小さくなった環状溝（９）の部分で曲がり易くなるので、釘調整を容易に行うことができるという効果が得られる。
【００２４】
図８は、本発明に係る弾球遊技機用釘（１）の更に別の変更例を示す図であって、第１ストレート部（６１）の先端部（螺旋部（５）寄りの部分）に環状溝（９）が形成され、この環状溝（９）に螺旋部（５）の最大径よりも径大とされた膨出部（１０）が形成されている。
図示例において、この膨出部（１０）は、基端から先端に向けて漸次縮径するテーパ面を有する円錐台状に形成されており、少なくともその基端部の径（最大径）が螺旋部（５）の最大径よりも径大とされている。
このように形成された膨出部（１０）は、遊技盤からの引き抜き抵抗を増大させるとともに、打ち込み時に発生した打ち込みカスの外部への排出が妨げられ、打ち込みカスが外部に排出されるのを防ぐことができる。
【００２５】
尚、図８示の例では、第１ストレート部（６１）に環状溝（９）を形成し、この環状溝（９）に膨出部（１０）を形成した例を示したが、本発明においては、第１ストレート部（６１）に環状溝（９）を形成することなく、その先端部（螺旋部（５）寄りの部分）に上記膨出部（１０）を形成する構成を採用することもできる。
【００２６】
また、本発明においては、上記した実施例の構成を組み合わせて採用することも可能であり、例えば図６と図８に示した例を組み合わせる構成が好適に採用できる。
すなわち、図９に示すように、テーパ部（４）の基端側に螺旋部（５）の最大径と同径又は僅かに径大とされた膨出部（８）を形成し、第１ストレート部（６１）の先端部（螺旋部（５）寄りの部分）に螺旋部（５）の最大径と同径又は僅かに径大とされた膨出部（１０）を形成することができる。
【産業上の利用可能性】
【００２７】
本発明は、パチンコ機等の弾球遊技機の遊技盤に打ち込まれて遊技球の流路を形成するために用いられる。
【図面の簡単な説明】
【００２８】
【図１】本発明に係る弾球遊技機用釘の一例を示す側面図である。
【図２】本発明に係る弾球遊技機用釘の使用状態の一例を示す断面図である。
【図３】本発明に係る弾球遊技機用釘の別の例を示す側面図である。
【図４】本発明における螺旋部の一例を示す部分拡大断面図であって、螺旋の山頂幅を、先端において狭く、基端において広くなるようにした例を示している。
【図５】本発明に係る弾球遊技機用釘の変更例を示す図であって、螺旋部の全長に亘って長さ方向の溝を形成した例を示している。
【図６】本発明に係る弾球遊技機用釘の別の変更例を示す図であって、テーパ部に螺旋部の最大径よりも径大とされた膨出部を形成した例を示している。
【図７】本発明に係る弾球遊技機用釘の更に別の変更例を示す図であって、軸部の外周面に沿って環状溝を形成した例を示している。
【図８】本発明に係る弾球遊技機用釘の更に別の変更例を示す図であって、軸部の外周面に沿って環状溝を形成し、この環状溝に膨出部を設けた例を示している。
【図９】本発明に係る弾球遊技機用釘の別の変更例を示す図であって、図６及び図８に示した実施例の構成を組み合わせた例を示している。
【符号の説明】
【００２９】
１      弾球遊技機用釘
２      頭部
３      軸部
４      テーパ部
５      螺旋部
６      ストレート部
６１    第１ストレート部
６２    第２ストレート部
７      溝
８      膨出部
９      環状溝
１０    膨出部
【図１】
2006102395.tif 000003
【図２】
2006102395.tif 000004
【図３】
2006102395.tif 000005
【図４】
2006102395.tif 000006
【図５】
2006102395.tif 000007
【図６】
2006102395.tif 000008
【図７】
2006102395.tif 000009
【図８】
2006102395.tif 000010
【図９】
2006102395.tif 000011